(57)【特許請求の範囲】
【請求項１】
発光管内に一対の電極が対向配置され両端に封止部が形成された放電ランプと、当該放電ランプの点灯始動時に発光する紫外線放射補助光源を、透光性の外管内に密閉配置した二重管型ランプと、当該二重管型ランプを取り囲み二重管型ランプから放射された光を反射する反射鏡と、よりなる放電ランプ装置において、
前記紫外線放射補助光源は、希ガスが封入された空洞部とシール部を備えた容器を有し、当該容器の空洞部内に金属箔の一方側が延び出し、当該金属箔の他方側がシール部で気密シールされ、前記容器の外面に巻き回された線状外部導体を有し、
前記反射鏡は、光を放射する前方開口と前記外管が挿入される首部開口を有し、
前記放電ランプの一方の封止部と前記紫外線放射補助光源の両方が、前記反射鏡の首部内に位置するように配置され、
前記紫外線放射補助光源は、前記放電ランプの前記首部開口側に位置する電極先端と前記首部開口の開口周縁を結ぶ仮想面に対して、前記反射鏡の前方開口側とは反対側に配置されていることを特徴とする放電ランプ装置。
【請求項２】
前記紫外線放射補助光源の長手方向軸線と、前記放電ランプのそれぞれの電極を結ぶ電極軸線が交差していることを特徴とする請求項１に記載の放電ランプ装置。
【発明の詳細な説明】
【技術分野】
【０００１】
本発明は、外管内に放電ランプと紫外線放射補助光源を有する二重管型ランプと反射鏡とよりなる放電ランプ装置に関する。
【０００２】
照明分野においては、石英ガラス製の発光管に比較して、長寿命、高効率の利点を有する透光性セラミックス製の発光管を備えた放電ランプが開発されており、発光管内に封入された発光物質を安定して蒸発させるために、外気と放電ランプを遮断し、発光管が設定された条件以上に冷却されないようにするために、放電ランプ全体を透光性の外管内に密閉配置した二重管型ランプ構造が知られている。
【０００３】
このようなニ重管型ランプは、放射される光の方向を制御するために、反射鏡に組み込まれて放電ランプ装置として利用されている。
このような技術は、特許文献１（特開２００２−１１０１００号）に記載されている。
【０００４】
一方、放電ランプは、始動性を改善するために、ランプ始動時に、放電空間に紫外線を照射する技術は知られている。
紫外線を放射するために、放電ランプと別に紫外線放射補助光源を用いている。このような技術は、特許文献２（特開２００２−１５１００６号）に記載されている。
特許文献２では、放電ランプと紫外線放射補助光源を外管内に密閉配置した二重管型ランプ構造が記載されている。
【０００５】
図５は、放電ランプと紫外線放射補助光源を外管内に密閉配置した二重管型ランプと反射鏡よりなる放電ランプ装置の説明図である。
図５に示すように、放電ランプ装置は、一対の電極１１、１２を有する放電ランプ１と、放電ランプ１の点灯始動時に発光する紫外線放射補助光源２を、透光性の外管３内に密閉配置した二重管型ランプ４と、反射鏡５よりなるものである。
【０００６】
そして、反射鏡５は光を放射する前方開口５１と、外管３が挿入される首部開口５２を有するものである。
８は、前方開口５１を塞ぐ前面ガラスである。
【０００７】
このような放電ランプ装置では、紫外線放射補助光源２の配置位置は、特に、考慮されておらず、単に、紫外線放射補助光源２は、外管３内であって、放電ランプ１の近傍に配置されていた。
【０００８】
そして、紫外線放射補助光源２の一部が、反射鏡５の首部開口５２側に位置する電極１１の先端と首部開口５２の開口縁５ａを結ぶ仮想線Ｌに対して、反射鏡５の前方開口５１側に突出した位置になる場合があり、この場合、放電ランプ１から放射され、本来、反射鏡５の反射面に照射される光が紫外線放射補助光源２の一部によって遮光され、照射面での配光分布が乱れるという問題があった。
【特許文献１】特開２００２−１１０１００号公報
【特許文献２】特開２００２−１５１００６号公報
【発明の開示】
【発明が解決しようとする課題】
【０００９】
本発明は、上記の問題点に鑑みてなされたものであって、本発明の目的は、始動性を向上させるとともに、照射面での配光特性が優れた放電ランプ装置を提供することにある。
【課題を解決するための手段】
【００１０】
請求項１に記載の放電ランプ装置は、発光管内に一対の電極が対向配置され両端に封止部が形成された放電ランプと、当該放電ランプの点灯始動時に発光する紫外線放射補助光源を、透光性の外管内に密閉配置した二重管型ランプと、当該二重管型ランプを取り囲み二重管型ランプから放射された光を反射する反射鏡と、よりなる放電ランプ装置において、前記紫外線放射補助光源は、希ガスが封入された空洞部とシール部を備えた容器を有し、当該容器の空洞部内に金属箔の一方側が延び出し、当該金属箔の他方側がシール部で気密シールされ、前記容器の外面に巻き回された線状外部導体を有し、前記反射鏡は、光を放射する前方開口と前記外管が挿入される首部開口を有し、前記放電ランプの一方の封止部と前記紫外線放射補助光源の両方が、前記反射鏡の首部内に位置するように配置され、前記紫外線放射補助光源は、前記放電ランプの前記首部開口側に位置する電極先端と前記首部開口の開口周縁を結ぶ仮想面に対して、前記反射鏡の前方開口側とは反対側に配置されていることを特徴とする。
【００１１】
請求項２に記載の放電ランプ装置は、請求項１に記載の放電ランプ装置であって、特に、前記紫外線放射補助光源の長手方向軸線と、前記放電ランプのそれぞれの電極を結ぶ電極軸線が交差していることを特徴とする。
【発明の効果】
【００１２】
本願発明の放電ランプ装置は、放電ランプと紫外線放射補助光源を透光性の外管内に密閉配置した二重管型ランプと、この二重管型ランプから放射された光を反射する反射鏡とよりなり、反射鏡が、光を放射する前方開口と外管が挿入される首部開口を有し、紫外線放射補助光源が、放電ランプの首部開口側に位置する電極先端と首部開口の開口周縁を結ぶ仮想面に対して、反射鏡の前方開口側とは反対側に配置されているので、反射鏡の反射面に照射される光が紫外線放射補助光源よって遮光されることがなく、照射面での配光分布に乱れが生じないものである。
【００１３】
さらに、本願発明の放電ランプ装置は、紫外線放射補助光源の長手方向軸線と、放電ランプのそれぞれの電極を結ぶ電極軸線が交差しているので、紫外線放射補助光源から放射された紫外線を効率よく、放電ランプに向けて放射することができる。
【図面の簡単な説明】
【００１４】
【図１】本発明の放電ランプ装置の説明図である。
【図２】本発明の放電ランプ装置に用いられる二重管型ランプの説明図である。
【図３】本発明の放電ランプ装置に用いられる二重管型ランプの紫外線放射補助光源の説明図である。
【図４】本発明の放電ランプ装置に用いられる他の二重管型ランプの説明図である。
【図５】従来の放電ランプ装置の説明図である。
【発明を実施するための形態】
【００１５】
図１、本発明の放電ランプ装置の説明図である。
本願発明の放電ランプ装置は、発光管１０内に一対の電極１１、１２が対向配置された放電ランプ１と、この放電ランプ１の点灯始動時に発光する紫外線放射補助光源２を、石英ガラスよりなる透光性の外管３内に密閉配置した二重管型ランプ４と、二重管型ランプ４を取り囲み二重管型ランプ４から放射された光を反射する反射鏡５とよりなるものである。
反射鏡５は、光を放射する前方開口５１と外管３が挿入される首部開口５２を有している。そして、反射鏡５の首部５０には、螺旋状の口金６が形成されたベース７が取り付けられており、二重管型ランプ４の外管３は首部開口５２を通りベース７に固定されている。
そして、放電ランプの一方の封止部と紫外線放射補助光源２の両方が、反射鏡５の首部５０内に位置するように配置されている。
８は、反射鏡５の前方開口を塞ぐ前面ガラスである。
【００１６】
図２は、二重管型ランプのみ取り出した説明図である。
放電ランプ１は、多結晶アルミナやＹＡＧなど透光性セラミック容器からなる発光管１０内に、タングステンなどからなる一対の電極１１、１２が対向配置され、発光管１０の両端の封止部から突出した外部リード１３ａ、１３ｂは、それぞれが外管３内に配置された給電材１４ａ、１４ｂに接続される。
給電材１４ａ、１４ｂは外管３のシール部３ａにおいてモリブデン金属箔１５ａ、１５ｂに接続され、モリブデン金属箔１５ａ、１５ｂは、それぞれが外部給電部材１６ａ、１６ｂに接続されている。
外管３内は、真空となっており、不図示だが、不純ガスを吸着するゲッター部材を外管３内に配置することもある。
【００１７】
外管３内には、紫外線放射補助光源２が配置されており、紫外線放射補助光源２は、気密封止された石英ガラス製の容器２１と、この容器２１内に配置された金属箔２２と、この金属箔２２に接続され外部に突出する外部リード２３と、この容器２１の外面に巻き回された線状外部導体２４とを備えてなり、外部リード２３および線状外部導体２４は、放電ランプ１の外部リード１３ａ、１３ｂと並列になるように、外管３内に配置された給電材１４ａ、１４ｂに接続されている。
【００１８】
図３は、紫外線放射補助光源のみ取り出した説明図である。
紫外線放射補助光源２の容器２１は、希ガスが封入された空洞部２１ａとシール部２１ｂを備える。
容器２１内には、金属箔２２が配置されており、金属箔２２の一方側が空洞部２１ａ内に延びだしており、金属箔２２の他方側がシール部２１ｂで気密シールされている。
そして、金属箔２２の他方側の端部には外部リード２３が接続されており、外部リード２３はシール部２１ｂから外方に突出している。
容器２１の外部には空洞部２１ａとシール部２１ｂ上に線状外部導体２４が複数ターンで密に巻かれている。
【００１９】
そして、紫外線放射補助光源２の外部リード２３が放電ランプ１の外部リード１３ａと電気的に接続され、紫外線放射補助光源２の線状外部導体２４が放電ランプ１の外部リード１３ｂと電気的に接続された構造になっているので、放電ランプ１を点灯する際のスタート電圧が、紫外線放射補助光源２の外部リード２３と線状外部導体２４に印加されることになり、容器２１内の金属箔２２と容器２１外の線状外部導体２４との間で、誘電体障壁放電が生じ、容器２１の空洞部２１ａ内で紫外線が発生するものである。
【００２０】
この結果、放電ランプ１の始動時に、紫外線放射補助光源２から紫外線が放射され、放射された紫外線が放電ランプ１の発光管１０内に照射されるので、放電ランプ１の始動性を向上させることができる。
【００２１】
図１に戻り、本発明の放電ランプ装置の説明図を続けると、紫外線放射補助光源２は、放電ランプ１の首部開口５２側に位置する電極１１の先端と首部開口５２の開口周縁５ａを結ぶ仮想面Ｌに対して、反射鏡５の前方開口５１側とは反対側に配置されている。
この結果、放電ランプ１から放射された光が、紫外線放射補助光源２よって遮光されることなく、反射鏡５の反射面に照射されるので、放電ランプ装置から放射された光は、照射面で設計通りの配光分布を維持することができ、配光分布に乱れが生じないものである。
【００２２】
図４は、本発明の放電ランプ装置に用いられる他の二重管型ランプの説明図である。
この二重管型ランプは、紫外線放射補助光源２の長手方向軸線Ｌ１と、放電ランプ１のそれぞれの電極１１、１２を結ぶ電極軸線Ｌ２が交差している。
長手方向軸線Ｌ１と電極軸線Ｌ２とのなす角度θは、０°≦θ≦９０°であり、最良の範囲として０°≦θ≦１０°の範囲である。
なお、その他の構造は、図２と同様であるため、説明は省略する。
【００２３】
この結果、紫外線放射補助光源２から放射された紫外線を効率よく、放電ランプ１に向けて放射することができ、放電ランプ１の点灯性をさらに向上させることができる。
【符号の説明】
【００２４】
１      放電ランプ
１１    電極
１２    電極
２      紫外線放射補助光源
３      外管
４      二重管型放電ランプ
５      反射鏡
５１    前方開口
５２    頂部開口
【図１】
0005629985.tif 000002
【図２】
0005629985.tif 000003
【図３】
0005629985.tif 000004
【図４】
0005629985.tif 000005
【図５】
0005629985.tif 000006